(57)【特許請求の範囲】
【請求項１】
釣糸が竿管内部に挿通する前後に長い長孔を設け、該長孔の後側であって、竿管表面から離隔した位置にガイドリングを設け、
該ガイドリングを保持し、その先部が前記長孔の側方に分れて延伸形成された脚部を有する金属製フレーム体を具備し、
該フレーム体に合成樹脂製の受け部材が取り付けられており、該受け部材は前記竿管表面から最も遠い前記ガイドリングの頂部近傍から竿先方向に延伸した受面を具備し、該受面は前記ガイドリングの内周面にガイドリングの内側空間に向かうように滑らかに連続しているか、又はガイドリングの近くから竿先方向に延伸しており、該竿先方向に延伸した受面の前記頂部近くの領域は前記ガイドリングの内側空間に向かっており、
前記頂部を通り、竿管の長手方向に沿ったライン上での前記受面の前端は、前記頂部の内周と長孔の前端部を形成するガイド部位内周とを結ぶ接線よりも竿管表面から遠い位置にある
ことを特徴とする中通し釣竿。
【請求項２】
前記金属製フレーム体の一部が前記受け部材をカバーするように高い位置にある請求項１記載の中通し釣竿。
【発明の詳細な説明】
【０００１】
【発明の属する技術分野】
本発明は中通し釣竿に関する。
【０００２】
【従来の技術】
中通し釣竿は、少なくとも先部に外部釣糸ガイドリングが存在しないので、釣糸が絡み難くて使い易く、最近普及している。
【０００３】
【発明が解決しようとする課題】
然しながら、釣りに際しては中通し釣竿は釣糸を外通し釣竿の外部釣糸ガイドリングに挿通させるのと同様に、竿の中に釣糸を挿通させなければならず、竿管の内部であるため、中通し釣竿は外通し釣竿に比較して釣糸を挿通することが難しい。このため、中通し釣竿では糸通し具と呼ばれる、概ね外径が１ｍｍ程度の細長い道具を使用し、これを竿管内に先導挿入させて糸通しを行う。この場合、竿管の後部（通常、釣糸導入部の孔）から挿入して竿先から出す場合と、竿先から挿入して釣糸導入部から出す、所謂、トップイン方式とがある。
ここではトップイン方式の場合に、糸通し具を釣糸導入部の後部ガイドリングに引き出すことの自動化を狙い、糸通し具を可及的円滑に挿通、引き出しできる釣竿構造の提供を目的とする。
【０００４】
【課題を解決するための手段】
上記目的に鑑み、請求項１において、釣糸が竿管内部に挿通する前後に長い長孔を設け、該長孔の後側であって、竿管表面から離隔した位置にガイドリングを設け、該ガイドリングを保持し、その先部が前記長孔の側方に分れて延伸形成された脚部を有する金属製フレーム体を具備し、該フレーム体に合成樹脂製の受け部材が取り付けられており、該受け部材は前記竿管表面から最も遠い前記ガイドリングの頂部近傍から竿先方向に延伸した受面を具備し、該受面は前記ガイドリングの内周面にガイドリングの内側空間に向かうように滑らかに連続しているか、又はガイドリングの近くから竿先方向に延伸しており、該竿先方向に延伸した受面の前記頂部近くの領域は前記ガイドリングの内側空間に向かっており、前記頂部を通り、竿管の長手方向に沿ったライン上での前記受面の前端は、前記頂部の内周と長孔の前端部を形成するガイド部位内周とを結ぶ接線よりも竿管表面から遠い位置にあることを特徴とする中通し釣竿を提供する。
【０００５】
糸通し具は、それ自体で竿管内部に挿通できるよう所定の剛性を有している。従って、糸通しに際して釣竿の釣糸導入部を下方に向け、糸通し具を竿先端から挿入して釣糸導入部の長孔に到達させても、該糸通し具の先端部が直ちに長孔から下方に落下するのではなく、竿管の長手方向に対して傾斜状になりながら長孔から出ようとする。このため、竿管表面から最も遠い頂部近傍のガイドリング部位から竿先方向に延伸しているか、又はこのガイドリング部位の近くから竿先方向に延伸した受面を具備（この受面は必ずしもガイドリングに直接連結されていなくてもよい）すれば、糸通し具の先端部は受面で受け易く、しかも、この受面が前記ガイドリング部位の内周面に滑らかに連続しているか、又は頂部近くの受面領域がガイドリングの内側空間に向かっていれば、受面で受けられた糸通し具はその受面に案内されて容易にガイドリングに挿通できる。
また、受面の前端が長孔の後端よりも竿先側に位置し、しかも頂部の内周と長孔の前端部を形成するガイド部位内周とを結ぶ接線よりも竿管表面から遠い位置にあれば、受面は長孔から傾斜状に出てくる糸通し具の先端部を更に受け易くなり、ガイドリングへの挿通の自動化に近づく。
【０００６】
請求項２において、前記金属製フレーム体の一部が前記受け部材をカバーするように高い位置にある請求項１記載の中通し釣竿を提供する。
【０００７】
前記長孔の前端近くの横断面形状が、竿管の内部に向かって広がっていれば、竿先から通された糸通し具は、長孔位置において竿管内部側が広いため、長孔の外に導かれ易く、更に糸通し具を円滑に引出し易くなる。
【０００８】
【発明の実施の形態】
以下、本発明を添付図面に示す実施形態例に基づき、更に詳細に説明する。
図１は竿の先端から糸通しする作業の説明図であり、通常は地面に対する釣竿の傾斜角度θを、例えば４５度程度にし、釣糸導入部３０が竿管の下側に位置する姿勢で行う。エポキシ樹脂等の合成樹脂を炭素繊維等の強化繊維で強化した繊維強化樹脂製の元竿１０に釣糸導入部３０を設け、後方のリール固定装置３２に固定されたリール３４から引き出した釣糸を竿管内部に導入する。この元竿１０に第１中竿１２を継合せ、その先の竿管１４等を第１中竿に収納した状態で糸通し具１８の挿通作業を行う。
【０００９】
穂先竿１４の先端のトップガイド１６から糸通し具１８の先端を挿入し、その先端部１８Ｓが、釣糸導入部３０の元竿に設けた長孔開口２０Ｈから重力の作用で外部に出る。その先端部を長孔の後側であって、元竿表面から離れた位置にあるセラミックス製等のガイドリング２２から外部に引き出せばよい。本願では、この長孔２０Ｈからガイドリング２２に至る糸通し具先端部１８Ｓの挿通作業を如何に円滑に行うかについての工夫を開示する。１８Ｔは糸通し具１８の後端部に設けた停止体であり、糸通し作業の最中に糸通し具後端が穂先内部に落ち込んでしまわないようにする。従って、トップガイド１６の内径よりも大きい。３６は元竿１０の尻栓である。なお、釣糸導入部３０はこの形態例とは異なり、元竿ではなくて第１中竿やその前側の竿管等に設けてもよい。
【００１０】
図２は釣糸導入部近傍の拡大縦断面図であり、図３はその矢視線Ｃによる平面図である。元竿等の竿管１０に長孔１０Ｈを設け、その孔縁に、セラミックス等の硬質材料で形成した釣糸ガイド２０を設けて釣糸の損傷や挿通抵抗を低減している。この釣糸ガイド２０の有する長孔２０Ｈが請求の範囲に述べる長孔である。この長孔の後側であって、竿管表面から離隔した位置にガイドリング２２が配設されている。このガイドリングを保持する部材が金属製のフレーム体２４であり、長孔２０Ｈの前後に亘り、長孔の上方或いは側方に延伸しており、その前後端部を糸部材２５によって巻回固定している。フレーム体２４は長孔２０Ｈ領域の側方に分れて延伸形成された脚部２４Ａ，２４Ａ’を具備している。
【００１１】
この釣糸導入部は受面２６Ｆを有する受け部材２６を、合成樹脂等によって形成している。この受け部材はガイドリング２２に接続されている。ガイドリングの竿管表面から最も遠い頂部２２Ｔ近傍のガイドリング部位から前方に延伸しており、頂部から竿管の長手方向に延伸したライン上の前端２６Ｚの位置は、長孔２０Ｈの後端位置よりも適宜な距離ａだけ竿先寄りにあり、しかも長孔２０Ｈの前端位置から、即ち、釣糸ガイド前端部２０Ｚの後端から距離Ｌの位置にある。この距離Ｌは例えば１５ｍｍであり、２５ｍｍ以下である。また、前記前端２６Ｚの竿管表面からの高さ位置は、前記頂部２２Ｔ内周と釣糸ガイド２０の前端部２０Ｚ内側面との接線ＳＬよりも適宜距離ｂだけ高い位置（図２の右側位置）にある。更には、この受面２６Ｆの前記頂部２２Ｔを通る中心ライン全体が前記接線ＳＬよりも高い位置にあることが、糸通し具の受面として好ましい。
【００１２】
受面はガイドリング頂部２２Ｔ近くのガイドリング部位の内周面２２Ｆに滑らかに連続している。また、受面２６Ｆは、少なくとも頂部とその近くの部位の内周面に滑らかに連続して接続されていることが必要であるが、それ以上に、例えば、ガイドリング２２全周に亘って接続されていたり、或いは全周に滑らかに連続している必要はない。然しながら、この形態例では、受け部材２６は、全周の内周面に滑らかに連続して接続されており、ガイドリングの前方途中位置からは左右側部が開放されており、更にその前方は長孔２０Ｈの上方のみに受面２６が存在し、更にその前方（Ｌの領域）の長孔上方には部材はなく開放されている。この受け部材２６の受面部が透明状であれば、糸通し具の先端部が容易に視認でき、糸通し作業に更に便利になる。
【００１３】
受け部材２６の竿管１０に近い部位２６Ｌは無くてもよいが、あれば、予想以上に剛性の高い糸通し具の場合に、その先端部のガイドリング内側空間２２Ｋへの円滑な案内に役立ち得る。更には、釣糸ガイド２０の後端部位（手元側部位）２０Ｋの内周面は、概ねガイドリング２２の方向に向かう傾斜状の面２０Ｆであれば、予想以上に剛性の高い糸通し具の場合に、その先端部がこの面２０Ｆに当接してもガイドリング方向に案内できる。また、竿管表面からの高さ位置において、受け部材２６をカバーするように金属フレーム体２４の一部が高い位置にあれば、釣竿を落下等させた場合にも受け部材の破損を防止できる。
【００１４】
上記例では、受面はガイドリングから前方に延伸して、釣糸ガイド２０の前端部２０Ｚの手前（長孔前端の手前）の位置で終端している。受面の前端２６Ｚが長孔２０Ｈの後端よりも竿元側に位置（即ち、距離ａがマイナス数値）しても、糸通し時の釣竿の傾斜角度θが大きくなるように（例えば、６０〜７０度程度）立てれば、糸通し具先端部を受けることができる。
また、上記釣糸ガイド２０はセラミックスの一体物であるが、前端部近くと、後端部近くをセラミックスとし、他領域部を薄い金属板で形成する構成としてもよい。
【００１５】
図４は、本発明に係る釣竿要部の第２の形態例を示す。図２に示す第１形態例と異なることを主に説明し、その他は第１形態例と同様である。受面２６Ｆを有する受け部材２６’はガイドリング２２とは接続されておらず、幾分離れている。その受面の前端と長孔２０Ｈの前端との距離Ｌ’は上記距離Ｌと同様である。受面のガイドリング近くの面２６Ｆ’は、ガイドリングの内側空間２２Ｋに向かって延伸している。従って、受け部材がガイドリングから離れていても糸通し作業は円滑に行える。また、受け部材２６’はガイドリング２２に接続されていてもよい。更には、図２の場合と同様に、受け部材２６’に、竿管１０側に近い部位（２６Ｌと同様（ガイドリング２２に接続していてもよく、また離れていてもよい））が存在してもよい。
【００１６】
図５は、本発明に係る釣竿要部の他の形態例を示す。図２に示す第１形態例と異なることを主に説明し、その他は第１形態例と同様である。ガイドリング２２と長孔２０Ｈとの間に、ガイドリング内口径よりも小さな内口径の他のガイドリング２３を配設している。この他のガイドリングは合成樹脂等の部材２６”で保持されており、この保持部材は糸通し具の先端部を受ける受面２６Ｆをも有している。この受面２６Ｆと他のガイドリング２３との関係は、第１形態例の受面２６Ｆとガイドリング２２との関係と同様であり、変形形態等も第１形態例の例に従う。受面と長孔先端位置との距離Ｌ’も距離Ｌと同様である。
【００１７】
この他のガイドリング２３の内周面の前後端部を除く方向は、ガイドリング２２の内側空間２２Ｋに向かっているため、このガイドリング２３に挿通した糸通し具先端部は、内口径のより大きなガイドリング２２に挿通し易い。
【００１８】
図６は、以上の各形態例の長孔２０Ｈの前端部近くの横断面図であり、フレーム体２４は省略している。この長孔２０Ｈの横断面形状は、竿管１０の内部に向かって広がる逆ハ字形状である。従って、糸通し具の先端部が長孔の外部に出易い。また、長孔を区画形成する釣糸ガイド２０の竿管内側部位が竿管内面から内部空間に突出している場合には２点鎖線１０Ｎで示すように竿管内面に肉盛りする形態とし、糸通し具の先端部が竿管内面から長孔に円滑に移動できるようにする。この肉盛りは竿管１０の形成後に行ってもよいが、竿管形成時に、竿管と同じか、同様な繊維強化樹脂部材で形成してもよい。
【００１９】
【発明の効果】
以上の説明から明らかなように本発明によれば、トップイン方式の場合に、糸通し具を可及的円滑に挿通、引き出しできる中通し釣竿構造が提供可能となる。
【図面の簡単な説明】
【図１】  図１は釣竿の糸通し作業中の側面図である。
【図２】  図２は本発明に係る釣竿の第１形態例の要部縦断面図である。
【図３】  図３は図２の矢視線Ｃによる平面図である。
【図４】  図４は第２形態例の図である。
【図５】  図５は他の形態例の図である。
【図６】  図６は各形態例の所定位置の横断面図である。
【符号の説明】
２０Ｈ                        長孔
２２                          ガイドリング
２２Ｆ                        ガイドリング内周面
２２Ｋ                        ガイドリングの内側空間
２３                          他のガイドリング
２６Ｆ                        受面
【図１】
0003712169.tif 000002
【図２】
0003712169.tif 000003
【図３】
0003712169.tif 000004
【図４】
0003712169.tif 000005
【図５】
0003712169.tif 000006
【図６】
0003712169.tif 000007